(57)【要約】【課題】本発明は乳幼児または要介護者が食事をする際、食べこぼしが膝や床の上に落ちて、衣服や床を汚す事を防ぐ、ウエスト・エプロンを提供する。【解決手段】本発明は、シリコーンゴムを素材とした、ベルト（１）と食べこぼし受け止め面（２）を有する。腰回りに固定するためのベルト（１）を有し、ベルト（１）から仰俯角（１５）を保ちながら水平方向に張り出す、食べこぼしを受け止める面（２）を有する。受け止め面（２）の縁には、窪み（１３）、折り返し（５）、留め具（１１）による裾の折り上げ機能を設ける。本発明は以上の構成による、ウエスト・エプロンである。【選択図】図１
2012184533.tif 000002
【特許請求の範囲】
【請求項１】
シリコーンゴムを素材とし、腰に巻きつけ装着するベルト（１）と、ベルト（１）から水平方向に延びる、食べこぼしを受け止める面（２）を設けた、ウエスト・エプロン。
【請求項２】
ベルトがカチューシャ形（１０）の、請求項１のウエスト・エプロン。
【請求項３】
食べこぼしを受け止める面（２）に、窪み（１３）を設け硬化成形した、請求項１記載のウエスト・エプロン。
【請求項４】
食べこぼしを受け止める面の外周（１４）近傍に、折り返し（５）を硬化成形した、請求項１記載の、ウエスト・エプロン。
【請求項５】
食べこぼしを受け止める面（２）に設けた留め具（１１）を留める事により、縁を持ち上げた、請求項１記載の、ウエスト・エプロン。
【請求項６】
食べこぼし受け止め面（２）の中央に、切り込み（７）を入れ、股ベルト穴（８）を設けた、請求項１記載のウエスト・エプロン。
【発明の詳細な説明】
【技術分野】
【０００１】本発明は乳幼児または要介護者が食事をする際、食べこぼしが膝や床の上に落ちて、衣服や床を汚す事を防ぐ、ウエスト・エプロンに関する。
【背景技術】
【０００２】従来の食事用ウエスト・エプロンの素材は、柔軟性のある布などでつくられており、エプロンと一体に、食べこぼしを収容するポケットが設けられていた。タックを入れる、保形部材をポケット開口部に使用する、などの構成により、開口部を常に大きく開けておく構成を有していた。
【先行技術文献】
【特許文献】
【０００３】
【特許文献１】特許公開平１０−１２１３０６
【発明の概要】
【発明が解決しようとする課題】
【０００４】従来のウエスト・エプロンでは、食べこぼしを十分に受け止めることはできなかった。その理由は、一般的に人は食事を摂るとき、上半身の姿勢を常に変化させるため、ポケット開口部に食べこぼしがいつも首尾よく落下するとは限らなかった。【０００５】また、開口部が形状保持材により、大きく開くよう、維持されているため、テーブルやベビーチェアの一部である安全バーや股ベルトに閊えてしまい、装着感が不快であった。【０００６】また、従来のウエスト・エプロンは後処理が煩雑であった。布を素材とするため、食べこぼしがしみ込み、使用後は必ず洗濯と乾燥が必要であった。そのため、使用者は複数の洗い替え用エプロンを用意しなければならなかった。素材に撥水加工した布のエプロンの場合、食べこぼしがしみ込まないので、洗濯と乾燥を必要とせず、食べこぼしを拭き取る方法があるが、雑菌が残り非衛生的であった。
【課題を解決するための手段】
【０００７】本発明は、シリコーンゴムを素材とし、ベルト（１）と食べこぼし受け止め面（２）を有する。腰回りに巻きつける、長さ調節のための、留め具（４）を有するベルト（１）、もしくはカチューシャ形ベルト（１０）を設ける。ベルトから水平方向に張り出す、食べこぼしを受け止める面（２）は、受け止め効果を高めるため、下記の仕組みを有する。ベルト（１）に対する受け止め面の仰俯角（１５）を好ましく保つため、ベルトと受け止め面の結合距離（９）、素材の厚さ（６）、シリコーンゴムの硬度、ベルトと受け止め面にわたって設けられた下垂防止のためのつなぎ片（３）を調節し、組み合わせて硬化成形し、好ましい仰俯角（１５）に保つ。さらに、受け止め面の上に落ちた食べ物が、受け止め面の表面を伝い、床へ落下するのを防ぐため、硬化成形により受け止め面の縁に折り返し（５）、または、面の内側に窪み（１３）を設ける。或いは、留め具（１１）による裾の折り上げ機能を設ける。本発明は以上の構成による、ウエスト・エプロンである。
【発明の効果】
【０００８】本発明は、食べこぼし受け止め面が、使用者の腰回りに張り出すことにより、食べ物の落下の軌道を広範囲にわたり遮り衣服や床に落ちる前に効率的に受け止める。また、面が受け止めた後も、その食べこぼしを面上に留め、床へ滑り落ちるのを防ぐ。【０００９】受け止め面が、水平方向に張り出しているため、テーブルに閊えず、装着感が良好である。【００１０】皿のように水と食器用洗剤などで洗った後、布巾で水分を拭き取り、すぐに再利用できる。【００１１】皿のように水と食器用洗剤などで洗えるため、雑菌が残らず衛生的である。
【図面の簡単な説明】
【００１２】
【図１】受け止め面を窪ませた本発明の斜視図
【図２】留め具により裾を折り上げた本発明の斜視図
【図３】受け止め面を窪ませた本発明の断面図
【図４】外周近傍に折り返し成形を設けた本発明の断面図
【図５】カチューシャ形ベルトを設けた、股ベルト付きベビーチェア対応の本発明の平面図
【発明を実施するための形態】
【００１３】以下、本発明の実施形態を説明する。
（イ）  本発明はシリコーンゴムを素材とする。使用者の腰回りに巻きつけるベルト（１）上に、長さ調節のための複数の留め具（４）を設ける。留め具（４）は、ベルト（１）と一体のボタン形突起と穴、もしくは雌雄一対の樹脂製ホックとする。
（ロ）  ベルトの形状はカチューシャ形ベルト（１０）でも良い。カチューシャとは、両耳の後ろで止まる、ヘアーバンドである。円形もしくは楕円形のベルトの一部に間隔（１２）を設ける。カチューシャ形ベルト（１０）の内部に、形状保持のための芯を埋め込み、間隔を広げる方向へ引っ張った時、元へ戻ろうとする反発力を持たせる。間隔を広げておいて、使用者の腰を輪に通し、手を離すことで使用者の腰回りに固定する。ベルトの太さ、シリコーンゴムの硬度、芯、輪の大きさ、を好ましく設けることで、留め具（４）を必要とせず、広範囲のウエストサイズに使用できる。
（ハ）  ベルト（１）から、好ましい仰俯角（１５）を保ちながら使用者の腰回りに広がる、食べこぼし受け止め面（２）を設ける。ベルトと受け止め面の結合距離（９）、素材の厚さ（６）、シリコーンゴムの硬度、ベルト（１）と受け止め面（２）をにわたる下垂防止のためのつなぎ片（３）などを組み合わせ、受け止め面（２）がベルト（１）に対して、好ましい仰俯角（１５）で保たれるよう硬化成形する。
（ニ）  受け止め面（２）の形は、使用者の年齢や椅子の形などに応じて、扇形、月形、四角形などの、様々な形で提供する。
（ホ）  硬化成形により受け止め面の内側を窪ませ（１３）、外周（１４）を高くすることで、皿のような受け止め面（２）を設ける。
（ヘ）  硬化成形により受け止め面（２）の縁に折り返し（５）を設けることで、一旦受け止められた食べ物が、受け止め面上を滑り、床へ落下するのを防ぐ。
（ト）  受け止め面に縁を持ち上げるための留め具（１１）を設け、それを留めると外周（１４）が持ち上がり、受け止めた食べ物が床へ落下するのを防ぐ。
（チ）  股ベルト付きベビーチェアを使用している乳幼児に提供する場合、受け止め面（２）の外周の中心点から股ベルト位置に向かって切り込み（７）を設け、その切り込みの終点に股ベルトが通る大きさの穴（８）を設ける。これにより、受け止め面（２）がベビーチェアの股ベルトを挟むよう、左右に分割される。使用時は、ベルト（１）を使用者の腰回りに固定し、受け止め面（２）の切り込み（７）を開き、股ベルト穴（８）に股ベルトを通し、受け止め面（２）を左右の膝の上にそれぞれ乗せる。こうすることで、受け止め面（２）がベビーチェアの股ベルトに閊えることがなく、左右の大腿部から膝がしらまでを、それぞれカバーし、下半身の衣服が汚れるのを防止することができる。
本発明は、以上の構成により成る。
本発明を使用する場合は、使用者の腰回りにベルト（１）を装着し、食べこぼし受け止め面（２）を使用者の前方に配置する。使用者が座位の場合は、膝の上に乗せるように配置する。
【符号の説明】
【００１４】（１）ベルト  （２）受け止め面  （３）下垂防止つなぎ片
（４）長さ調節留め具  （５）折り返し  （６）厚さ  （７）切り込み
（８）股ベルト穴  （９）ベルトと受け止め面の結合距離
（１０）カチューシャ形ベルト  （１１）縁を持ち上げるための留め具
（１２）間隔  （１３）受け止め面の窪み  （１４）受け止め面の外周
（１５）仰俯角
【図１】
2012184533.tif 000003
【図２】
2012184533.tif 000004
【図３】
2012184533.tif 000005
【図４】
2012184533.tif 000006
【図５】
2012184533.tif 000007